(57)【要約】【課題】試し書きのときとは異なる線速度でも記録パワーやその他記録条件を正確に決めて、品質のよい記録を高速域でも行うことができるようにする。【解決手段】光ディスク２０のＰＣＡ領域に所定の基本線速度で試し書きを行い、その試し書きの結果に基づいて基本線速度における最適記録パワーを決定し、光ディスク２０に基本線速度とは異なる線速度で記録を行うとき、パワー設定部１３等によって基本線速度における最適記録パワーに対して所定の演算を行った結果に基づいて記録パワーを設定する。【選択図】　　　図１
2004030919.tif 000002
【特許請求の範囲】
【請求項１】
情報記録装置がディスク状記録媒体の円周方向に略一定の線密度で情報を書き込む情報記録方法であって、
前記ディスク状記録媒体の所定の領域に所定の基本線速度で試し書きを行い、その試し書きの結果に基づいて前記基本線速度における最適記録パワーを決定する試し書き工程と、
前記ディスク状記録媒体に前記基本線速度とは異なる線速度で記録を行うとき、前記基本線速度における最適記録パワーに対して所定の演算を行った結果に基づいて記録パワーを設定する記録パワー設定工程とを有することを特徴とする情報記録方法。
【請求項２】
請求項１記載の情報記録方法において、
前記試し書き工程に続いて、前記最適記録パワーで記録するときの前記ディスク状記録媒体からの再生信号に応じた値を最適記録状態目標値として記憶する最適記録状態記憶工程を設け、
前記記録パワー設定工程に続いて、前記ディスク状記録媒体に前記基本線速度とは異なる線速度で記録を行うとき、前記最適記録状態目標値に対して所定の演算を行った結果に基づいて記録状態目標値を設定する記録状態目標値設定工程と、前記ディスク状記録媒体に情報を記録中、前記記録状態目標値と前記ディスク状記録媒体からの再生信号に応じた値を比較し、その比較結果に応じて前記記録パワーを修正するパワー修正工程とを設けたことを特徴とする情報記録方法。
【請求項３】
請求項２記載の情報記録方法において、
前記ディスク状記録媒体の種類に応じて前記所定の演算を行う演算式又は係数を設定する工程を設けたことを特徴とする情報記録方法。
【請求項４】
請求項３記載の情報記録方法において、
前記ディスク状記録媒体に埋め込まれた識別コードに基づいて前記ディスク状記録媒体の種類を判別する工程を設けたことを特徴とする情報記録方法。
【請求項５】
請求項１又は２記載の情報記録方法において、
前記線速度に応じて記録パルス幅を可変する工程を設けたことを特徴とする情報記録方法。
【請求項６】
請求項３又は４記載の情報記録方法において、
前記線速度又は前記ディスク状記録媒体の種類に応じて記録パルス幅を可変する工程を設けたことを特徴とする情報記録方法。
【発明の詳細な説明】
【０００１】
【発明の属する技術分野】
この発明は、ＣＤ−Ｒ／ＲＷディスク等のディスク状記録媒体に情報を記録する光ディスク記録方法等の情報記録方法に関する。
【０００２】
【従来の技術】
線密度一定のディスク状記録媒体には、例えばＣＤ−Ｒ（Ｃｏｍｐａｃｔ　Ｄｉｓｃ　Ｒｅｃｏｒｄａｂｌｅ）ディスクがある。このようなＣＤ−Ｒディスクでは、線速度一定（ＣＬＶ：Ｃｏｎｓｔａｎｔ　Ｌｉｎｅａｒ　Ｖｅｌｏｃｉｔｙ）で回転させながら記録するのが普通であった。この場合、ディスク状記録媒体とレーザビームとの相対速度がいつも一定なので、記録パワーや記録パルス幅などの記録条件を一度最適に決めてしまえば、全面にわたり変える必要がない。そのため、通常は最内周部の特定の領域でパワーを振って試し書きを行い、それで決定した最適記録パワーを用いて同じ線速度で全面記録して問題はない。
しかし、ＣＬＶでは内周部ほど回転数を高くする必要があるので、高速になってくると回転させるのが困難になる。モータコストが高くなったり、騒音，振動が増えたり、その他のサーボシステムの設計も困難になってくる。
【０００３】
そこで、内周で回転数をあまり上げない代わりに、外周へいってもあまり回転数を下げないようにする手法を採っている。
その場合、線速度は外周にいくほど高くなる。完全に回転数一定（ＣＡＶ：Ｃｏｎｓｔａｎｔ　Ａｎｇｕｌａｒ　Ｖｅｌｏｃｉｔｙ）の場合は、線速度は半径に比例して高くなる。また適当な半径位置でゾーンを区切って、そのゾーン内はＣＬＶとし、外周ゾーンほど高い線速にするＺＣＬＶ（Ｚｏｎｅ　ＣＬＶ）という手法もある。
いずれの手法にせよ、もともと内周の回転数を上げないようにしているので、試し書きをする内周領域の線速とは異なる線速度で記録するケースが出てくる。その場合、そのパワーやその他の記録条件をどうするかということが課題になってくる。
そこで従来、不所望な線速度での記録では線速度に比例するクロック周波数に基づいて記録パワーを可変する情報記録装置（例えば、特開平１１−２９６８５８号公報参照）があった。
【０００４】
【発明が解決しようとする課題】
しかしながら、上述のような従来の情報記録装置では、ディスク状記録媒体の記録特性（つまり必要な記録パワーやその他記録条件）が線速度に完全に比例しなくては品質のよい記録はできないという問題があった。もとよりそのようなディスク状記録媒体は無いし、ディスク状記録媒体ごとのバラツキも避けられないという問題もあった。
この発明は上記の課題を解決するためになされたものであり、試し書きのときとは異なる線速度でも記録パワーやその他記録条件を正確に決めることができ、品質のよい記録を高速域でも行えるようにすることを目的とする。
【０００５】
【課題を解決するための手段】
この発明は上記の目的を達成するため、情報記録装置がディスク状記録媒体の円周方向に略一定の線密度で情報を書き込む情報記録方法であって、上記ディスク状記録媒体の所定の領域に所定の基本線速度で試し書きを行い、その試し書きの結果に基づいて上記基本線速度における最適記録パワーを決定する試し書き工程と、上記ディスク状記録媒体に上記基本線速度とは異なる線速度で記録を行うとき、上記基本線速度における最適記録パワーに対して所定の演算を行った結果に基づいて記録パワーを設定する記録パワー設定工程を有する情報記録方法を提供する。
【０００６】
また、上記のような情報記録方法において、上記試し書き工程に続けて、上記最適記録パワーで記録するときの上記ディスク状記録媒体からの再生信号に応じた値を最適記録状態目標値として記憶する最適記録状態記憶工程を設け、上記記録パワー設定工程に続けて、上記ディスク状記録媒体に上記基本線速度とは異なる線速度で記録を行うとき、上記最適記録状態目標値に対して所定の演算を行った結果に基づいて記録状態目標値を設定する記録状態目標値設定工程と、上記ディスク状記録媒体に情報を記録中、上記記録状態目標値と上記ディスク状記録媒体からの再生信号に応じた値を比較し、その比較結果に応じて上記記録パワーを修正するパワー修正工程を設けるとよい。
【０００７】
さらに、上記のような情報記録方法において、上記ディスク状記録媒体の種類に応じて上記所定の演算を行う演算式又は係数を設定する工程を設けるとよい。また、上記のような情報記録方法において、上記ディスク状記録媒体に埋め込まれた識別コードに基づいて上記ディスク状記録媒体の種類を判別する工程を設けるとよい。
また、上記のような情報記録方法において、上記線速度に応じて記録パルス幅を可変する工程を設けるとよい。
さらに、上記のような情報記録方法において、上記線速度又は上記ディスク状記録媒体の種類に応じて記録パルス幅を可変する工程を設けるとよい。
【０００８】
【発明の実施の形態】
以下、この発明の実施形態を図面に基づいて具体的に説明する。
図１は、この発明の一実施形態である情報記録方法を実行する光ディスク記録装置の構成を示すブロック図である。
図２は、ディスクタイプ（Ｔｙｐｅ）別のスピード，係数Ｆ１とＦ２，シータ（ｔｈｅｔａ）を示した一覧表を示す図である。
図３は、パルス設定部１１における記録データ列ＷＤＡＴＡを記録パルスＷＤ１に変換する処理の説明に供する線図である。
【０００９】
図４は、記録パワー毎のβ値とＢ値を示した一覧表を示す図である。
図５は、図４に示した記録パワー毎のβ値とＢ値のそれぞれの変化を示す線図である。
図６は、製造者ＩＤ毎のタイプコードと記録パラメータ番号の一例を示す一覧表の図である。
図７は、β値検出部６において再生信号ＲＦから除去する低域成分の上側包絡線と下側包絡線を示す線図である。
図８は、Ｂ値検出部７におけるＢ値検出処理の説明に供する線図である。
【００１０】
図１に示すように、この光ディスク記録装置は、ＣＰＵ，ＲＯＭ及びＲＡＭ等からなるマイクロコンピュータによって実現されるＣＤ−ＲドライブやＣＤ−ＲＷドライブ等の記録装置であり、ディスク状記録媒体の円周方向に略一定の線密度で情報を書き込んで記録する。このブロック図にはこの発明の請求項１乃至６の情報記録方法を実行するためのすべての構成要件を含んでいる。
光ディスク２０は、ＣＤ−ＲディスクやＣＤ−ＲＷディスク等のディスク状記録媒体であり、回転モータ１によって回転する。
回転モータ１はモータ制御部２の回転制御によって所定の速度で回転する。この実施形態ではＣＬＶ（線速度一定）で、その線速度が速度指令ｓｐｅｅｄによって可変できるようにしている。
【００１１】
ヘッド３は、光ディスク２０の記録膜上に光ビームを集光させ、記録マークを形成する。また、光ディスク２０の半径方向に移動可能であり、光ディスク２０に予め設けられた試し書き領域やユーザデータ領域にアクセス可能である。
ヘッド３には図示を省略した光源が搭載されている。これは一般的には半導体レーザ光源（ＬＤ：Ｌａｓｅｒ　Ｄｉｏｄｅ）が用いられる。
このＬＤはＬＤドライバ５によって所定の記録パワー状態に入力パルス信号ＷＤ１で変調される。ＬＤが記録パワー状態とスペースパワー状態の間で変調されることにより、光ディスク２０の記録膜上には記録マークとそうでないところができる。これを再生すると反射率の差が生じて情報信号として再生することができる。
【００１２】
上記記録マークは、ＣＤ−Ｒディスクのような非可逆な有機色素媒体では、ピット（穴）であり、そうでないところはスペースと呼ばれる。
パワー設定部１３は、入力される記録パワー指令（積算部１７からの出力信号）に応じてＬＤドライバ５を駆動し、ヘッド３のＬＤをそのパワーで光らせる。また、ＯＰＣモード（ＯＰＣｍｏｄｅ）指令が入力されると、記録パワー指令とは関係なく試し書き処理を行う試し書きモードになり、順次記録パワーを可変する。
記録データｄａｔａは、符号化部１６で所定のフォーマットで符号化や変調処理がなされ、シリアル形式で記録データ列ＷＤＡＴＡとして出力される。また、スピード指令ｓｐｅｅｄで、記録速度に応じた速度でＷＤＡＴＡが出力される。
【００１３】
上記記録データ列ＷＤＡＴＡは、パルス設定部１１によって記録パルスに変換される。その変換処理は、好ましくは記録パルス幅を可変する処理である。例えば図３に示したように、同図の（ａ）の記録データ列ＷＤＡＴＡに対して、同図の（ｂ）のように立ち上がりエッジを前側にｔｈｅｔａだけずらした記録パルスＷＤ１に変える変換を施す。
このｔｈｅｔａは、すべての立ち上がりエッジに対して同じ量でもよいが、記録データ列ＷＤＡＴＡのＨｉｇｈ幅（すなわち記録マーク長）に応じて異なる量を設定してもよい。例えば、Ｈｉｇｈ幅が短いほど長めのｔｈｅｔａを設定することにより、短いマークの記録感度を補正できる場合がある。
【００１４】
上記記録パルス幅の設定は固定でもよいが、線速度や光ディスクの種類（種別）に応じてそれぞれに設定してやるとなおよい。線速度や光ディスクの種別による記録マーク長毎の感度の違いを吸収できるからである。
上記光ディスク２０の種別を示す識別コードは、ヘッド３で光ディスク２０の特定場所を再生したときの再生信号からメディアタイプ検出部４で検出する。この種別は、例えば光ディスクメーカを何らかの方法で特定できればメーカ別にしてもよいし、同一メーカでもさらに細かく分類できればなおよい。
【００１５】
他の種別同定手法としては、例えば光ディスク２０に予め埋め込んである（記録されている）各種パラメータ等の識別コードを用いることもできる。例えば、推奨パワーやパルス幅などを埋め込んである場合はそれを用いてもよい。あるいは、光ディスクメーカ毎に特定のメーカ識別コードを埋め込んでおくようにしてもよい。さらに細分類のためのコードを埋め込んでもよい。
このようにすることで、同一メーカのさまざまな記録膜に応じて最適な記録パルス幅の設定が可能になる。
【００１６】
すなわち、上記β値検出部６，上記最適パワー決定記憶部８，上記パワー設定部１３等が、ディスク状記録媒体の所定の領域に所定の基本線速度で試し書きを行い、その試し書きの結果に基づいて基本線速度における最適記録パワーを決定する試し書き手段の機能を果たし、ディスク状記録媒体の所定の領域に所定の基本線速度で試し書きを行い、その試し書きの結果に基づいて基本線速度における最適記録パワーを決定する試し書き工程の処理を実行する。
上記パワー設定部１３，上記積算部１７等が、ディスク状記録媒体に基本線速度とは異なる線速度で記録を行うとき、基本線速度における最適記録パワーに対して所定の演算を行った結果に基づいて記録パワーを設定する記録パワー設定手段の機能を果たし、ディスク状記録媒体に基本線速度とは異なる線速度で記録を行うとき、基本線速度における最適記録パワーに対して所定の演算を行った結果に基づいて記録パワーを設定する記録パワー設定工程の処理を実行する。
【００１７】
上記最適パワー決定記憶部８が、最適記録パワーで記録するときのディスク状記録媒体からの再生信号に応じた値を最適記録状態目標値（ベータターゲット）として記憶する最適記録状態記憶手段の機能を果たし、上記試し書き工程に続いて、上記最適記録パワーで記録するときのディスク状記録媒体からの再生信号に応じた値を最適記録状態目標値として記憶する最適記録状態記憶工程の処理を実行する。
上記最適パワー決定記憶部８が、ディスク状記録媒体に基本線速度とは異なる線速度で記録を行うとき、最適記録状態目標値に対して所定の演算を行った結果に基づいて記録状態目標値を設定する記録状態目標値設定手段の機能を果たし、上記記録パワー設定工程に続いて、ディスク状記録媒体に上記基本線速度とは異なる線速度で記録を行うとき、上記最適記録状態目標値に対して所定の演算を行った結果に基づいて記録状態目標値を設定する記録状態目標値設定工程の処理を実行する。
上記Ｂ値検出部７，上記最適Ｂ値決定記憶部９，上記比較部１５，上記積算部１７，上記パワー設定部１３等が、ディスク状記録媒体に情報を記録中、記録状態目標値とディスク状記録媒体からの再生信号に応じた値を比較し、その比較結果に応じて記録パワーを修正するパワー修正手段の機能を果たし、ディスク状記録媒体に情報を記録中、上記記録状態目標値とディスク状記録媒体からの再生信号に応じた値を比較し、その比較結果に応じて上記記録パワーを修正するパワー修正工程の処理を実行する。
【００１８】
上記メディアタイプ検出部４，上記第１変換テーブル１４，上記第２変換テーブル１０，上記積算部１７等が、ディスク状記録媒体の種類に応じて所定の演算を行う演算式又は係数を設定する手段の機能を果たし、ディスク状記録媒体の種類に応じて所定の演算を行う演算式又は係数を設定する工程の処理を実行する。上記メディアタイプ検出部４等が、ディスク状記録媒体に埋め込まれた識別コードに基づいてディスク状記録媒体の種類を判別する手段の機能を果たし、ディスク状記録媒体に埋め込まれた識別コードに基づいてディスク状記録媒体の種類を判別する工程の処理を実行する。
上記パルス設定部１１，設定テーブル１２等が、線速度に応じて記録パルス幅を可変する手段と、線速度又はディスク状記録媒体の種類に応じて記録パルス幅を可変する手段の機能を果たし、線速度に応じて記録パルス幅を可変する工程と線速度又はディスク状記録媒体の種類に応じて記録パルス幅を可変する工程の処理を実行する。
【００１９】
次に、この光ディスク記録装置における試し書き処理について説明する。
試し書き処理は、ある線速度で記録パワーを順次変化させて記録し、その後その記録箇所を再生して記録状態を評価し、最適な記録状態になる記録パワーを決定する処理である。
この光ディスク記録装置では、パワー設定部１３をＯＰＣモードにすることによって順次パワーを変化させて記録することができる。このとき、スピード設定部１８で設定されたスピード（速度）に基づいて所定の基本線速度になる。試し書きの記録箇所は、光ディスク２０上の一般にはユーザエリアよりも内周のＰＣＡ領域（ＰＣＡ：Ｐｏｗｅｒ　Ｃａｌｉｂｒａｔｉｏｎ　Ａｒｅａ）が用いられる。
【００２０】
ＰＣＡ領域に記録後、ヘッド３のＬＤから照射した光ビームで同じ場所を再生して再生信号ＲＦを得る。
この再生信号ＲＦの適当なパラメータを測定して評価することによって最適な記録状態を評価することができる。例えば、β値検出部６でβ値なるパラメータを測定する。β値検出部６は、再生信号ＲＦの低域成分を除去（ＡＣ結合）して、図７に示すように、再生信号ＲＦの上側包絡線レベルａと下側包絡線レベルｂを検出する。
【００２１】
光ディスク２０の記録膜の特性として、記録マーク部で反射率が下がると仮定し、再生信号ＲＦは低反射部で低レベルになるとすると、適正な記録状態のときにＡＣ結合された再生信号ＲＦは、図７の（ａ）に示したように上下対称でａ＝ｂになる。
また、記録パワーが過大のときは、同図の（ｂ）に示したように記録マーク部が長くなるから、ＡＣ結合すると上側レベルが高くなりａ＞ｂになる。さらに、記録パワーが不足のときは、同図の（ｃ）に示したように記録マーク部が短くなるから、ＡＣ結合すると下側レベルが高くなりａ＜ｂになる。
そして、上記ａとｂの差をＲＦ振幅（ａ＋ｂ）で正規化した量がβ値である。すなわち、β＝（ａ−ｂ）／（ａ＋ｂ）である。
ここで、β値が大きいとパワー過大、小さいとパワー不足である。最適記録パワーはβ値がある値（例えば４％程度）になったときであり、そのときのβ値を「ベータターゲット（ｂｅｔａ　ｔａｒｇｅｔ）」と呼ぶ。今、ベータターゲットが４％程度とし、記録パワーを１０ｍＷから１ｍＷきざみで１９ｍＷまで振って試し書きした場合、その試し書きした記録箇所を再生して記録パワーに対するβ値の組は、図４に示した一覧表のようになる。
【００２２】
図５は、図４に示した記録パワーＰｗとβ値との関係を示す線図である。記録パワーＰｏｗｅｒ（Ｐｗ）を横軸にしてβ値が右上のほうに伸びる曲線を示している。このβカーブがベータターゲット（ｂｅｔａ　ｔａｒｇｅｔ）と交わるところの記録パワーが最適記録パワーである。
最適パワー決定記憶部８は、上述のような処理によって最適記録パワーを決定する。
上記ベータターゲットは固定値（例えば４％）でもよいが、光ディスクの種別に応じて設定してやるとなおよい。このディスク種別は、前述のようにメディアタイプ検出部４の検出結果を用いる。
最適パワー決定記憶部８は、最適記録パワーを求めると、それを内部の記憶手段に記憶しておき、ユーザデータの記録のときにパワー設定部１３に設定する。
【００２３】
さて、この最適記録パワーは、試し書きを行った線速度における最適記録パワーである。上記課題で述べたように、高速な光ディスク記録装置では、光ディスク２０の外周にいくほど速い線速度で記録するようになる。しかし、同じように速い線速度を内周のＰＣＡ領域で出そうとすると、回転数が速くなりすぎて好ましくない。
そこで、試し書き処理を行って得た最適記録パワーは、それとは違う線速においてはある演算ルールでパワーを修正してやるとよい。
【００２４】
例えば、ＣＤの１２倍速（１２ｘ、１ｘは１５０Ｋｂｙｔｅ／ｓｅｃ）で試し書きをして最適記録パワーＰｗｏｐｔ１２を得た場合で説明する。
別の線速度の１６倍速：１６ｘ，２０倍速：２０ｘ，２４倍速：２４ｘでの記録パワーＰｗｏｐｔ１６，記録パワーＰｗｏｐｔ２０，記録パワーＰｗｏｐｔ２４をそれぞれＰｗｏｐｔ１２を基準に所定係数Ｆ１をかける所定の演算式にて求める。
１２倍速時の記録パワー：Ｐｗｏｐｔ１２＝１．００×Ｐｗｏｐｔ１２
１６倍速時の記録パワー：Ｐｗｏｐｔ１６＝１．１０×Ｐｗｏｐｔ１２
２０倍速時の記録パワー：Ｐｗｏｐｔ２０＝１．１５×Ｐｗｏｐｔ１２
２４倍速時の記録パワー：Ｐｗｏｐｔ２４＝１．２０×Ｐｗｏｐｔ１２
この演算式の演算ルールは、このように定数乗算でもよいし定数加算でもよいし、線速度の関数としてより複雑な式を用いてもよい。
上記所定係数は固定でもよいが、ディスク種別に応じて設定してやるとなおよい。このディスク種別は、前述のようにメディアタイプ検出部４の検出結果を用いる。
【００２５】
図２は、ディスクタイプ（Ｔｙｐｅ）別に上記説明の係数Ｆ１を表にした例を示す図である。
第１変換テーブル１４は、この表に基づく変換処理によって最適記録パワーを所望の線速度でのそれに変換する。
この最適記録パワーは、積算部１７の初期値として積算手段に入力される。後述するランニングＯＰＣ（Ｒｕｎｎｉｎｇ　ＯＰＣ）処理を行わない場合は、オン／オフ（ｏｎ／ｏｆｆ）指令をオフ（ｏｆｆ）にして積算を行わないようにする。この場合、積算手段は初期値のまま維持される。すなわち、初期値をそのままスルーしてパワー設定部１３へ送る。したがって、第１変換テーブル１４で得た最適記録パワーで記録される。
【００２６】
次に、この光ディスク記録装置におけるランニングＯＰＣ処理について説明する。
試し書き処理で得た最適記録パワー（及びそれをスピードに応じて変換した記録パワー）は、記録中のメディア内感度変動，温度による感度変動，レーザパワー制御誤差による記録パワー変動，波長変動による感度変動などがあると、必ずしもずっと最適な状態であるわけではない。
そこで、記録中の再生信号をモニタし、光ディスク２０の記録膜の記録状態を検出してパワーを修正するのがランニングＯＰＣ処理である。
【００２７】
ランニングＯＰＣ処理は、例えば、記録中の再生信号のレベルを記録パワーで正規化した値をＢ値（記録状態目標値）とする。これはＢ値検出部７で検出する。
まず、試し書き処理のときにＢ値も測定しておく。その後、β値の評価で最適記録パワーを得たら、最適Ｂ値決定記憶部９によってその最適記録パワーにおけるＢ値を目標Ｂ値（最適記録状態目標値）として記憶する。
そして、ユーザデータの記録中にＢ値をモニタし、比較部１５で目標Ｂ値と比較する。その比較結果を積算部１７で積算してパワー設定部１３に対する記録パワーの設定を修正する。もちろん、オン／オフ指令はオン（ｏｎ）にして積算を行うようにする。
【００２８】
上記比較結果がずっと“０”、すなわち目標Ｂ値と検出されたＢ値とが等しければ積算部１７は初期値のままである。
つまり、最適記録パワー（の変換値）のまま記録する。これは記録状態がずっと良好な場合である。また、比較結果が“０”でなくなると、積算部１７によって記録パワーを修正する。積算極性を、比較結果がパワー不足側のときには記録パワーを増大させる方向にしておけば、記録状態が良好になる方向に常時パワー修正される。
【００２９】
さて、ここでも試し書きした線速度と異なる線速度において目標Ｂ値を所定の演算ルールで変換する。
この演算例も、１２倍速：１２ｘで試し書きし、１６倍速：１６ｘ，２０倍速：２０ｘ，２４倍速：２４ｘに変換するのに１２倍速：１２ｘの目標Ｂ値Ｂ１２を基準にして定数乗算して求める。
１２倍速時の目標Ｂ値：Ｂ１２＝１．００×Ｂ１２
１６倍速時の目標Ｂ値：Ｂ１６＝１．１０×Ｂ１２
２０倍速時の目標Ｂ値：Ｂ２０＝１．２０×Ｂ１２
２４倍速時の目標Ｂ値：Ｂ２４＝１．３０×Ｂ１２
【００３０】
この演算ルールは、このように定数乗算でもよいし、定数加算でもよいし、線速度の関数としてより複雑な式を用いてもよい。
この所定係数は固定でもよいが、ディスク種別に応じて設定してやるとなおよい。そのディスク種別は、前述のようにメディアタイプ検出部４の検出結果を用いる。
第２変換テーブル１０は、図２に示すディスクタイプ（Ｔｙｐｅ）別の上記説明の係数Ｆ２の一覧表に基づく演算によって目標Ｂ値を所望の線速度でのそれに変換する。
このようにして、試し書きと処理は異なる線速度でも目標Ｂ値は試し書き線速度の値を基本にして適切に演算されて設定される。
【００３１】
次に、図８に基づいてＢ値の検出処理について説明する。
記録中の再生信号ＲＦは、ＬＤのレーザが記録パワーで光り始めた瞬間はレーザパワーをそのまま反射して高いレベルになる。
しかし、記録マークが形成し始めると反射率が下がるので、反射レベルは漸減する。そこで、パワーを高くしていくと、記録マーク形成は早くから始まり、より低反射になる。したがって、パワー自体の反射レベルの影響をキャンセルするために、記録パワーで再生信号ＲＦを割り算するのが好ましい。
この記録パワー時の適当なタイミングでＲＦ／パワーをサンプリングしたのがＢ値として用いられる。なお、必ずしもサンプリングした値を用いなくてもよく、例えば平均値を用いてもよい。
要するに、記録マーク形成状態を反映し、記録パワーに対してある程度（とりわけ最適パワー付近で）単調な値を検出できるのであれば、どのような検出処理でもよい。
【００３２】
図６に示すように、メディアタイプ検出部４の中に光ディスク２０のメーカー等の製造者ＩＤコードとタイプコードに対して記録パラメータ（Ｓｔｒａｔｅｇｙ　Ｔｙｐｅ）番号を割り当てる変換テーブルを設け、この記録パラメータ番号をタイプ（Ｔｙｐｅ）として各種設定・変換テーブルで用いる。
同図では、記録パラメータ番号を、各製造者ＩＤ（Ａ社，Ｂ社，．．．．）の各タイプ（Ｔｙｐｅ）コード（０，１，２，．．．．）に対してすべて通番で割り当てないのは、類似した特性の記録膜には同じ記録パラメータを用いることにして、変換テーブルサイズを小さくするためである。
【００３３】
このようにして、この光ディスク記録装置における情報記録方法は、試し書きと異なる線速度でも正確に記録パワーを決めることができ、品質のよい記録を高速域でも行える。
また、試し書きと異なる線速度でも正確にパワー修正が可能であり、より品質のよい記録を高速域でも行える。
さらに、多様なディスク状記録媒体に対してより適切にパワー設定や修正が可能であり、より品質のよい記録を高速域でも行える。
また、さまざまなメーカのさまざまな種類のディスク状記録媒体に対してより適切にパワー設定や修正が可能であり、より品質のよい記録を高速域でも行える。
さらに、試し書きと異なる線速度でも正確に記録パルス幅設定が可能であり、より品質のよい記録を高速域でも行える。
そして、さまざまなメーカのさまざまな種類の媒体に対してより適切に記録パルス幅設定が可能であり、より品質のよい記録を高速域でも行える。
【００３４】
【発明の効果】
以上説明してきたように、この発明の情報記録方法によれば、試し書きのときとは異なる線速度でも記録パワーやその他記録条件を正確に決めることができ、品質のよい記録を高速域でも行うことができる。
【図面の簡単な説明】
【図１】この発明の一実施形態である情報記録方法を実施する光ディスク記録装置の構成を示すブロック図である。
【図２】ディスクタイプ（Ｔｙｐｅ）別のスピード，係数Ｆ１とＦ２，シータ（ｔｈｅｔａ）を示した一覧表を示す図である。
【図３】図１に示したパルス設定部１１における記録データ列ＷＤＡＴＡを記録パルスＷＤ１に変換する処理の説明に供する線図である。
【図４】記録パワー毎のβ値とＢ値を示した一覧表を示す図である。
【図５】図４に示した記録パワー毎のβ値とＢ値のそれぞれの変化を示す線図である。
【図６】製造者ＩＤ毎のタイプコードと記録パラメータ番号の一例を示す一覧表の図である。
【図７】図１に示したβ値検出部６において再生信号ＲＦから除去する低域成分の上側包絡線と下側包絡線を示す線図である。
【図８】図１に示したＢ値検出部７におけるＢ値検出処理の説明に供する線図である。
【符号の説明】
１：回転モータ　　　　　２：モータ制御部
３：ヘッド　　　　　　　４：メディアタイプ検出部
５：ＬＤドライバ　　　　６：β値検出部
７：Ｂ値検出部　　　　　８：最適パワー決定記憶部
９：最適Ｂ値決定記憶部　１０：第２変換テーブル
１１：パルス設定部　　　１２：設定テーブル
１３：パワー設定部　　　１４：第１変換テーブル
１５：比較部　　　　　　１６：符号化部
１７：積算部　　　　　　１８：スピード設定部
２０：光ディスク
【図１】
2004030919.tif 000003
【図２】
2004030919.tif 000004
【図３】
2004030919.tif 000005
【図４】
2004030919.tif 000006
【図５】
2004030919.tif 000007
【図６】
2004030919.tif 000008
【図７】
2004030919.tif 000009
【図８】
2004030919.tif 000010